(57)【要約】      （修正有）【課題】ＡＦ制御による合焦領域の決定後にＬＶ画像を拡大する際に、拡大位置がユーザの意図に沿う技術を提供する。【解決手段】デジタルカメラは、複数のＡＦモードのうちのいずれかを設定するモード設定手段と、ライブビュー画像（ＬＶ画像）を表示するように制御する表示制御手段と、撮像領域のうちの、モード設定手段で設定されたＡＦモードに応じた領域内でＡＦ制御を行って合焦領域を決定するように制御するＡＦ制御手段と、を備える。合焦領域の決定後に、表示制御手段は、モード設定手段で設定されたＡＦモードが、撮像領域の第１の領域内で合焦領域を自動的に決定する第１のＡＦモードである場合、合焦領域を基準としてＬＶ画像を拡大し、第１の領域よりも狭い第２の領域内で合焦領域を自動的に決定する第２のＡＦモードである場合、合焦領域にかかわらず、第２の領域の所定の位置を基準としてＬＶ画像を拡大する。【選択図】図３Ｂ
2019012900.tif 000002
【特許請求の範囲】
【請求項１】
複数のオートフォーカスモード（ＡＦモード）のうちのいずれかを設定するモード設定手段と、
ライブビュー画像（ＬＶ画像）を表示するように制御する表示制御手段と、
撮像領域のうちの、前記モード設定手段で設定されたＡＦモードに応じた領域内でＡＦ制御を行って合焦領域を決定するように制御するＡＦ制御手段と、
を備え、
前記合焦領域の決定後に、前記表示制御手段は、
前記モード設定手段で設定されたＡＦモードが、前記撮像領域の第１の領域内で前記合焦領域を自動的に決定する第１のＡＦモードである場合、前記合焦領域を基準として前記ＬＶ画像を拡大し、
前記モード設定手段で設定されたＡＦモードが、前記第１の領域よりも狭い第２の領域内で前記合焦領域を自動的に決定する第２のＡＦモードである場合、前記合焦領域にかかわらず、前記第２の領域の所定の位置を基準として前記ＬＶ画像を拡大するように制御する
ことを特徴とする撮像制御装置。
【請求項２】
前記所定の位置は、前記第２の領域の中央である
ことを特徴とする請求項１に記載の撮像制御装置。
【請求項３】
前記表示制御手段は、前記合焦領域の決定後に特定の操作が行われたことに応じて、前記ＬＶ画像を拡大するように制御する
ことを特徴とする請求項１又は２に記載の撮像制御装置。
【請求項４】
前記特定の操作は、マニュアルフォーカス操作である
ことを特徴とする請求項３に記載の撮像制御装置。
【請求項５】
前記ＬＶ画像において特定の被写体を検出する検出手段を更に備え、
前記第２のＡＦモードにおいて前記第２の領域内で前記特定の被写体が検出されない場合、
前記ＡＦ制御手段は、前記第２の領域内で前記合焦領域を自動的に決定し、
前記表示制御手段は、前記合焦領域にかかわらず、前記第２の領域の前記所定の位置を基準として前記ＬＶ画像を拡大するように制御し、
前記第２のＡＦモードにおいて前記第２の領域内で前記特定の被写体が検出された場合、
前記ＡＦ制御手段は、前記特定の被写体の領域を基準として前記合焦領域を決定するように制御し、
前記表示制御手段は、前記合焦領域を基準として前記ＬＶ画像を拡大するように制御する
ことを特徴とする請求項１乃至４のいずれか１項に記載の撮像制御装置。
【請求項６】
前記第２のＡＦモードにおいて複数の合焦領域が決定された場合において、
前記複数の合焦領域の中に、他のいずれの合焦領域とも隣接していない合焦領域が存在する場合、前記表示制御手段は、前記複数の合焦領域にかかわらず、前記第２の領域の前記所定の位置を基準として前記ＬＶ画像を拡大するように制御し、
前記複数の合焦領域の各々が少なくとも１つの合焦領域と隣接している場合、前記表示制御手段は、前記複数の合焦領域を基準として前記ＬＶ画像を拡大するように制御する
ことを特徴とする請求項１乃至４のいずれか１項に記載の撮像制御装置。
【請求項７】
前記表示制御手段による前記ＬＶ画像の拡大の倍率を設定する倍率設定手段を更に備え、
前記合焦領域の決定後に、前記表示制御手段は、
前記モード設定手段で設定されたＡＦモードが前記第２のＡＦモードであり前記倍率設定手段で設定された倍率が第１の倍率である場合、前記合焦領域にかかわらず、前記第２の領域の前記所定の位置を基準として前記ＬＶ画像を拡大し、
前記モード設定手段で設定されたＡＦモードが前記第２のＡＦモードであり前記倍率設定手段で設定された倍率が前記第１の倍率よりも小さい第２の倍率である場合、前記合焦領域を基準として前記ＬＶ画像を拡大するように制御する
ことを特徴とする請求項１乃至４のいずれか１項に記載の撮像制御装置。
【請求項８】
前記表示制御手段は、前記ＬＶ画像が拡大される位置を示す情報を、拡大前の前記ＬＶ画像に重畳表示するように制御する
ことを特徴とする請求項１乃至７のいずれか１項に記載の撮像制御装置。
【請求項９】
前記モード設定手段で設定されたＡＦモードが、前記第１の領域よりも狭く前記第２の領域よりも広い第３の領域内で前記合焦領域を自動的に決定する第３のＡＦモードである場合、前記表示制御手段は、前記合焦領域を基準として前記ＬＶ画像を拡大するように制御する
ことを特徴とする請求項１乃至８のいずれか１項に記載の撮像制御装置。
【請求項１０】
前記第１の領域は、前記撮像領域のうちの、前記ＡＦ制御手段が前記ＡＦ制御を実行可能な領域全体である
ことを特徴とする請求項１乃至９のいずれか１項に記載の撮像制御装置。
【請求項１１】
前記ＡＦ制御手段は、ユーザの指示に従って前記第２の領域を決定する
ことを特徴とする請求項１乃至１０のいずれか１項に記載の撮像制御装置。
【請求項１２】
前記表示制御手段は、
再生指示に応じて、前記第１のＡＦモード又は前記第２のＡＦモードで撮像された撮像画像を表示し、
前記撮像画像の表示後に拡大指示が行われたことに応じて、前記撮像画像が前記第１のＡＦモード及び前記第２のＡＦモードのいずれのＡＦモードで撮像されたかにかかわらず、前記撮像画像の撮像時に前記ＡＦ制御手段により決定された合焦領域を基準として前記撮像画像を拡大するように制御する
ことを特徴とする請求項１乃至１１のいずれか１項に記載の撮像制御装置。
【請求項１３】
撮像制御装置が実行する制御方法であって、
複数のオートフォーカスモード（ＡＦモード）のうちのいずれかを設定するモード設定工程と、
ライブビュー画像（ＬＶ画像）を表示するように制御する表示制御工程と、
撮像領域のうちの、前記モード設定工程で設定されたＡＦモードに応じた領域内でＡＦ制御を行って合焦領域を決定するように制御するＡＦ制御工程と、
を備え、
前記合焦領域の決定後に、前記表示制御工程では、
前記モード設定工程で設定されたＡＦモードが、前記撮像領域の第１の領域内で前記合焦領域を自動的に決定する第１のＡＦモードである場合、前記合焦領域を基準として前記ＬＶ画像を拡大し、
前記モード設定工程で設定されたＡＦモードが、前記第１の領域よりも狭い第２の領域内で前記合焦領域を自動的に決定する第２のＡＦモードである場合、前記合焦領域にかかわらず、前記第２の領域の所定の位置を基準として前記ＬＶ画像を拡大するように制御する
ことを特徴とする制御方法。
【請求項１４】
コンピュータを、請求項１乃至１２のいずれか１項に記載の撮像制御装置の各手段として機能させるためのプログラム。
【請求項１５】
コンピュータを、請求項１乃至１２のいずれか１項に記載の撮像制御装置の各手段として機能させるためのプログラムを記録したコンピュータが読み取り可能な記憶媒体。
【発明の詳細な説明】
【技術分野】
【０００１】
本発明は、撮像制御装置、制御方法、プログラム、及び記憶媒体に関する。
【背景技術】
【０００２】
デジタルカメラにおいて、オートフォーカス（ＡＦ）による合焦後、ユーザがマニュアルフォーカス（ＭＦ）により更にフォーカス調整を行える機能が知られている。ＭＦ操作時に、ライブビュー画像（ＬＶ画像）においてユーザがフォーカスを合わせたい位置が拡大表示されていると、フォーカス調整が容易になり便利である。しかし、ユーザがＭＦ操作をしながら拡大位置の調整を行うことは煩わしい。
【０００３】
これを解決するために、例えば特許文献１では、撮像装置が自動的にＡＦの合焦領域を決定した後にＭＦ操作が行われると、撮像装置が合焦領域に応じて画像の拡大位置を決定する技術が提案されている。これにより、ユーザは、画像中のフォーカスが合った位置を簡単に拡大表示でき、画像の確認やフォーカス調整が行いやすくなる。
【先行技術文献】
【特許文献】
【０００４】
【特許文献１】特開２０１０−１４１７６７号公報
【発明の概要】
【発明が解決しようとする課題】
【０００５】
ＡＦの一形態として、撮像装置が撮像領域のうちの一部の領域（以下、「ゾーン枠」）内で自動的に合焦領域を決定する構成（以下、「ゾーンＡＦ」）があるが、特許文献１はゾーンＡＦを考慮していない。
【０００６】
ゾーンＡＦにおいては、一般的に、ユーザは、撮像装置がＡＦ制御を実行可能な領域全体のうちの、任意の一部の領域をゾーン枠として指定することができる。従って、ユーザが最終的にフォーカスを合わせたい被写体がゾーン枠の中央に位置するように、ゾーン枠が指定される場合が多いと考えられる。しかし、撮像装置がゾーン枠内で合焦領域を決定する際に、必ずしもゾーン枠の中央が合焦領域として決定されるとは限らない。従って、ゾーンＡＦによる合焦領域の決定後にＭＦ操作が行われた場合に、特許文献１のように合焦領域に応じて画像の拡大位置が決定されると、ユーザの意図とは異なる位置が拡大される可能性がある。
【０００７】
本発明はこのような状況に鑑みてなされたものであり、ＡＦ制御による合焦領域の決定後にＬＶ画像を拡大する際に、拡大位置がユーザの意図に沿う可能性を向上させる技術を提供することを目的とする。
【課題を解決するための手段】
【０００８】
上記課題を解決するために、本発明は、複数のオートフォーカスモード（ＡＦモード）のうちのいずれかを設定するモード設定手段と、ライブビュー画像（ＬＶ画像）を表示するように制御する表示制御手段と、撮像領域のうちの、前記モード設定手段で設定されたＡＦモードに応じた領域内でＡＦ制御を行って合焦領域を決定するように制御するＡＦ制御手段と、を備え、前記合焦領域の決定後に、前記表示制御手段は、前記モード設定手段で設定されたＡＦモードが、前記撮像領域の第１の領域内で前記合焦領域を自動的に決定する第１のＡＦモードである場合、前記合焦領域を基準として前記ＬＶ画像を拡大し、前記モード設定手段で設定されたＡＦモードが、前記第１の領域よりも狭い第２の領域内で前記合焦領域を自動的に決定する第２のＡＦモードである場合、前記合焦領域にかかわらず、前記第２の領域の所定の位置を基準として前記ＬＶ画像を拡大するように制御することを特徴とする撮像制御装置を提供する。
【０００９】
なお、その他の本発明の特徴は、添付図面及び以下の発明を実施するための形態における記載によって更に明らかになるものである。
【発明の効果】
【００１０】
本発明によれば、ＡＦ制御による合焦領域の決定後にＬＶ画像を拡大する際に、拡大位置がユーザの意図に沿う可能性を向上させることが可能となる。
【図面の簡単な説明】
【００１１】
【図１】デジタルカメラ１００の外観図。
【図２】デジタルカメラ１００の構成例を示すブロック図。
【図３Ａ】デジタルカメラ１００が実行する撮影モード処理のフローチャート。
【図３Ｂ】デジタルカメラ１００が実行する撮影モード処理のフローチャート。
【図４】ＡＦ位置選択モードに応じたＬＶ画像の表示例を示す図。
【図５】ＡＦ位置選択モードに応じたＬＶ画像の拡大表示例を示す図。
【発明を実施するための形態】
【００１２】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。また、別々の実施形態の中で説明されている特徴を適宜組み合せることも可能である。
【００１３】
［第１の実施形態］
図１は、撮像制御装置の一例であるデジタルカメラ１００の外観図である。表示部２８は、画像や各種情報を表示する表示部である。表示部２８には、背面表示パネルと、ファインダ内の表示部である電子ビューファインダとが含まれる。シャッターボタン６１は、撮影指示を行うための操作部である。モード切り替えスイッチ６０は、各種モードを切り替えるための操作部である。コネクタ１１２は、パーソナルコンピュータやプリンタなどの外部装置と接続するための接続ケーブル１１１とデジタルカメラ１００とのコネクタである。操作部７０は、ユーザからの各種操作を受け付ける各種スイッチ、ボタン、タッチパネル等の操作部材より成る操作部である。コントローラホイール７３は、操作部７０に含まれる回転操作可能な操作部材である。電源スイッチ７２は、電源オン、電源オフを切り替えるための押しボタンである。記録媒体２００は、メモリカードやハードディスク等の記録媒体である。記録媒体スロット２０１は、記録媒体２００を格納するためのスロットである。記録媒体スロット２０１に格納された記録媒体２００は、デジタルカメラ１００との通信が可能となり、記録や再生が可能となる。蓋２０２は、記録媒体スロット２０１の蓋である。図１においては、蓋２０２を開けて記録媒体スロット２０１から記録媒体２００の一部を取り出して露出させた状態を示している。
【００１４】
図２は、デジタルカメラ１００の構成例を示すブロック図である。図２において、撮影レンズ１０３は、ズームレンズ、フォーカスレンズを含むレンズ群である。シャッター１０１は、絞り機能を備えるシャッターである。撮像部２２は、光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。バリア１０２は、デジタルカメラ１００の、撮影レンズ１０３を含む撮像系を覆うことにより、撮影レンズ１０３、シャッター１０１、撮像部２２を含む撮像系の汚れや破損を防止する。
【００１５】
画像処理部２４は、Ａ／Ｄ変換器２３からのデータ、又は、メモリ制御部１５からのデータに対し、所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１６】
Ａ／Ｄ変換器２３からの出力データは、画像処理部２４及びメモリ制御部１５を介して、或いは、直接メモリ制御部１５を介して、メモリ３２に書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像及び音声を格納するのに十分な記憶容量を備えている。
【００１７】
また、メモリ３２は、画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データは、Ｄ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、スルー画像表示（ライブビュー表示）を行える。
【００１８】
不揮発性メモリ５６は、電気的に消去・記録可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
【００１９】
システム制御部５０は、デジタルカメラ１００全体を制御する。システム制御部５０は、前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等が展開される。また、システム制御部５０は、メモリ３２、Ｄ／Ａ変換器１３、表示部２８等を制御することにより表示制御も行う。システムタイマー５３は、各種制御に用いる時間や、内蔵された時計の時間を計測する計時部である。
【００２０】
モード切り替えスイッチ６０、シャッターボタン６１、操作部７０は、システム制御部５０に各種の動作指示を入力するための操作部である。モード切り替えスイッチ６０は、システム制御部５０の動作モードを静止画記録モード、動画記録モード、再生モード等のいずれかに切り替える。静止画記録モードに含まれるモードとして、オート撮影モード、オートシーン判別モード、マニュアルモード、撮影シーン別の撮影設定となる各種シーンモード、プログラムＡＥモード、カスタムモード等がある。モード切り替えスイッチ６０で、これらのモードのいずれかに直接切り替えられる。或いは、操作部７０に含まれるメニューボタンの押下によりメニュー画面を開いた後に、メニュー画面に含まれるこれらのモードのいずれかに、他の操作部材を用いて切り替えるようにしてもよい。同様に、動画記録モードにも複数のモードが含まれていてもよい。
【００２１】
第１シャッタースイッチ６２は、デジタルカメラ１００に設けられたシャッターボタン６１の操作途中、いわゆる半押し（撮影準備指示）でＯＮとなり、第１シャッタースイッチ信号ＳＷ１を発生する。システム制御部５０は、第１シャッタースイッチ信号ＳＷ１に応じて、ＡＦ（オートフォーカス）処理、ＡＥ（自動露出）処理、ＡＷＢ（オートホワイトバランス）処理、ＥＦ（フラッシュプリ発光）処理等の動作を開始する。
【００２２】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２に応じて、撮像部２２からの信号読み出しから記録媒体２００に画像データを書き込むまでの一連の撮影処理の動作を開始する。
【００２３】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。操作部７０に含まれるメニューボタンが押されると、各種設定を実行可能なメニュー画面が表示部２８に表示される。ユーザは、表示部２８に表示されたメニュー画面と、上下左右の４方向ボタンやＳＥＴボタンなどを用いて、直感的に各種設定を行うことができる。
【００２４】
コントローラホイール７３（図１参照）は、操作部７０に含まれる回転操作可能な操作部材であり、方向ボタンと共に選択項目を指示する際などに使用される。コントローラホイール７３を回転操作すると、操作量に応じて電気的なパルス信号が発生し、このパルス信号に基づいてシステム制御部５０はデジタルカメラ１００の各部を制御する。システム制御部５０は、このパルス信号によって、コントローラホイール７３が回転操作された角度や、何回転したかなどを判定することができる。なお、コントローラホイール７３は、回転操作が検出できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを検出するものであってもよい（いわゆる、タッチホイール）。
【００２５】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２６】
電源部３０は、アルカリ電池やリチウム電池等の一次電池やＮｉＣｄ電池やＮｉＭＨ電池、Ｌｉ電池等の二次電池、ＡＣアダプタ等からなる。記録媒体Ｉ/Ｆ１８は、メモリカードやハードディスク等の記録媒体２００とのインタフェースである。記録媒体２００は、撮影された画像を記録するためのメモリカード等の記録媒体であり、半導体メモリや光ディスク、磁気ディスク等から構成される。
【００２７】
通信部５４は、無線又は有線ケーブルによって外部装置と接続し、映像信号や音声信号等の送受信を行う。通信部５４は、無線ＬＡＮ（Ｌｏｃａｌ  Ａｒｅａ  Ｎｅｔｗｏｒｋ）やインターネットとも接続可能である。通信部５４は、撮像部２２で撮像した画像（ライブビュー画像を含む）や、記録媒体２００に記録された画像を送信可能であり、また、外部装置から画像データやその他の各種情報を受信することができる。
【００２８】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、姿勢に応じて画像を回転して記録したりすることが可能である。姿勢検知部５５としては、加速度センサやジャイロセンサなどを用いることができる。
【００２９】
接眼検知部５７は、目（物体）の接近を検知する。システム制御部５０は、接眼検知部５７で検知された状態に応じて、表示部２８に含まれる背面表示パネルと電子ビューファインダの表示／非表示を切り替える。
【００３０】
図３Ａ〜Ｂは、デジタルカメラ１００が実行する撮影モード処理のフローチャートである。このフローチャートにおける各処理は、システム制御部５０が不揮発性メモリ５６に格納されたプログラムをシステムメモリ５２に展開して実行することにより実現される。電源スイッチ７２が操作され電源がオンに切り替わると、システム制御部５０は、フラグや制御変数等を初期化した後、撮影モード処理を開始する。
【００３１】
Ｓ３０１で、システム制御部５０は、表示部２８でのライブビュー表示（ＬＶ表示）を開始する。
【００３２】
Ｓ３０２で、システム制御部５０は、操作部７０に対して、ＡＦ位置選択モードの切り替え操作が行われたか否かを判定する。ＡＦ位置選択モードの切り替え操作が行われた場合、処理はＳ３０３へ進み、そうでない場合、処理はＳ３０４へ進む。
【００３３】
Ｓ３０３で、システム制御部５０は、ＡＦ位置選択モードの切り替え（モード設定）を行う。ＡＦ位置選択モードは、システム制御部５０におけるＡＦ制御に関わる設定値であり、この設定値に応じて、撮像領域においてＡＦ制御の対象となる領域（ＡＦ対象領域）が変更される。本実施形態の説明においては、「一点ＡＦ」、「顔＋追尾優先ＡＦ」、及び「ゾーンＡＦ」の３つのＡＦ位置選択モードの間で切り替えが可能であるものとする。
【００３４】
一点ＡＦは、デジタルカメラ１００が、ＡＦ制御を実行可能な領域（撮像領域において合焦対象として扱うことが可能な領域であり、例えば撮像領域全体。以下、「ＡＦ可能領域」と呼ぶ。）の中で、予め指定された１箇所のみをＡＦ対象領域としてＡＦ制御を実行するモードである。顔＋追尾優先ＡＦは、デジタルカメラ１００が、ＡＦ可能領域全体をＡＦ対象領域としてＡＦ制御を実行するモードである。ゾーンＡＦは、ユーザがＡＦ可能領域内の任意の位置にゾーン枠を設定し、デジタルカメラ１００がゾーン枠内の領域をＡＦ対象領域としてＡＦ制御を実行するモードである。
【００３５】
Ｓ３０４で、システム制御部５０は、操作部７０に対して、ＡＦ位置選択モード切り替え操作、シャッターボタン６１に対するＳＷ１操作（後述）、及び終了操作（後述）以外の操作が行われたか否かを判定する。ここでの判定対象の操作には、上記の一点ＡＦ又はゾーンＡＦが設定されている場合に、撮像領域においてＡＦ対象領域とする箇所又はゾーン枠を移動する操作が含まれる。操作が行われた場合、処理はＳ３０５へ進み、そうでない場合、処理はＳ３０６へ進む。
【００３６】
Ｓ３０５で、システム制御部５０は、その他の処理（Ｓ３０４で行われた操作に応じた処理）を行う。例えば、ゾーン枠を移動する操作が行われた場合、システム制御部５０は、ゾーン枠を移動する。
【００３７】
Ｓ３０６で、システム制御部５０は、シャッターボタン６１に対するＳＷ１操作が行われたか否かを判定する。ＳＷ１操作が行われた場合、処理はＳ３０７へ進み、そうでない場合、処理はＳ３３１へ進む。
【００３８】
Ｓ３０７で、システム制御部５０は、ＡＦ位置選択モードが一点ＡＦであるか否かを判定する。一点ＡＦである場合、処理はＳ３０８へ進み、そうでない場合、処理はＳ３０９へ進む。
【００３９】
Ｓ３０８で、システム制御部５０は、撮像領域における予め指定された箇所をＡＦ対象領域として、ＡＦ制御を実行する。図４（ａ）は、一点ＡＦの実行例を示す図である。システム制御部５０は、撮像領域に対応するＬＶ画像４１１の中の指定箇所４１２をＡＦ対象領域として、ＡＦ制御を実行する。一点ＡＦの場合、合焦領域４１３は、指定箇所４１２と同じ領域である。なお、前述のように、指定箇所４１２は、Ｓ３０５において移動される場合がある。
【００４０】
Ｓ３０９で、システム制御部５０は、ＡＦ位置選択モードが顔＋追尾優先ＡＦであるか否かを判定する。顔＋追尾優先ＡＦである場合、処理はＳ３１０へ進み、そうでない場合、処理はＳ３１１へ進む。
【００４１】
Ｓ３１０で、システム制御部５０は、ＡＦ可能領域全体をＡＦ対象領域としてＡＦ制御を実行する。図４（ｂ）は、顔＋追尾優先ＡＦの実行例を示す図である。システム制御部５０は、ＬＶ画像４２１において顔を検出し、顔領域に合焦するようにＡＦ制御する。図４（ｂ）に示すように、システム制御部５０は、顔領域に対応する合焦領域４２２を表示する。なお、顔が検出できなかった場合、システム制御部５０は、ＡＦ可能領域全体から所定のアルゴリズムに基づき自動的に合焦領域（合焦させるべきＡＦ対象領域）を決定する。例えば、ＡＦ可能領域全体のうち、検出された顔、カメラ側に近い被写体(至近側)、コントラストの高い被写体、撮影範囲の中央に近い被写体などが優先されるよう、各種条件に所定の重みづけをして、合焦させるべき被写体が自動的に決定される。
【００４２】
Ｓ３１１で、システム制御部５０は、ゾーン枠内をＡＦ対象領域としてＡＦ制御を実行する。図４（ｃ）及び図４（ｄ）は、ゾーンＡＦの実行例を示す図である。図４（ｃ）に示すように、Ｓ３０３においてＡＦ位置選択モードがゾーンＡＦへ切り替えられると、ＬＶ画像４３１上にゾーン枠４３２が重畳表示される。前述のように、ゾーン枠４３２は、Ｓ３０５において移動される場合がある。システム制御部５０は、ゾーン枠４３２内でＡＦ制御を行い、ゾーン枠４３２内の１以上の領域に対する合焦に成功すると、対応する合焦領域を表示する。図４（ｄ）の例では、ゾーン枠４３２の中に、４つの合焦領域４３３，４３４，４３５，４３６が表示されている。なお、ゾーンＡＦにおいては、ゾーン枠４３２の中で自動的に合焦すべき被写体が決定される。対象範囲がＡＦ可能領域全体でなくゾーン枠内である点以外は、合焦領域の決定方法は顔＋追尾優先ＡＦと同様である。なお、移動する被写体（動体）の優先度を上げる等、顔＋追尾優先ＡＦとアルゴリズムを少し変えてもよい。ゾーンＡＦは、例えば、合焦させた主被写体の構図内での位置が大まかに決まっており（そこにゾーン枠を設定すればよい）、かつ、事前にＡＦ位置を正確に指定することが困難な移動する被写体（動体）等の撮影を行う場合に利用すると好適である。例えば、電車、飛行機、子供、スポーツ選手、動物などの撮影に用いると好適である。また、静止した被写体であれば、構図内において大きな面積比率を占める被写体を、１点ではなく全体的に合焦させたい場合にゾーンＡＦを用いると好適である。
【００４３】
Ｓ３１２で、システム制御部５０は、操作部７０に含まれる、ＭＦ操作用のフォーカスリングが操作されたか否かを判定する。フォーカスリングが操作された場合、処理はＳ３１９へ進み、そうでない場合、処理はＳ３１３へ進む。
【００４４】
Ｓ３１３で、システム制御部５０は、シャッターボタン６１に対するＳＷ２操作が行われたか否かを判定する。ＳＷ２操作が行われた場合、処理はＳ３１５へ進み、そうでない場合、処理はＳ３１４へ進む。
【００４５】
Ｓ３１４で、システム制御部５０は、ＳＷ１がオンの状態が維持されているか否かを判定する。維持されている場合、処理はＳ３１２へ進み、そうでない場合、処理はＳ３３１へ進む。
【００４６】
Ｓ３１５で、システム制御部５０は、撮影を行う。すなわち、ライブビュー用の撮像とは異なる、設定されている撮影条件での露光を行う本撮影を行う。Ｓ３１６で、システム制御部５０は、撮影した画像を画像ファイルとして記録媒体２００へ記録する。Ｓ３１７で、システム制御部５０は、撮影した画像を表示部２８にレビュー表示する。Ｓ３１８で、システム制御部５０は、表示部２８でのＬＶ表示を再開する。
【００４７】
Ｓ３１９で、システム制御部５０は、ＡＦ位置選択モードが一点ＡＦであるか否かを判定する。一点ＡＦである場合、処理はＳ３２０へ進み、そうでない場合、処理はＳ３２２へ進む。
【００４８】
Ｓ３２０で、システム制御部５０は、ＡＦの指定箇所（ＡＦ対象領域）を基準としてＬＶ画像の拡大を行う。図５（ａ）は、一点ＡＦの場合の拡大処理の例を示す図である。図４（ａ）に示す表示が行われている状態で拡大処理が行われると、図５（ａ）の状態に遷移する。ＬＶ画像５１１は、図４（ａ）の指定箇所４１２近傍の拡大表示である。拡大インジケータ５１２は、図４（ａ）のＬＶ画像４１１における拡大位置（即ち、撮影範囲全体に対する拡大したＬＶ画像５１１の範囲）を示している。
【００４９】
Ｓ３２１で、システム制御部５０は、フォーカスリングの操作量に応じたフォーカス調整を行う。
【００５０】
Ｓ３２２で、システム制御部５０は、ＡＦ位置選択モードが顔＋追尾優先ＡＦであるか否かを判定する。顔＋追尾優先ＡＦである場合、処理はＳ３２３へ進み、そうでない場合、処理はＳ３２５へ進む。
【００５１】
Ｓ３２３で、システム制御部５０は、ＡＦの合焦領域を基準としてＬＶ画像の拡大を行う。図５（ｂ）は、顔＋追尾優先ＡＦの場合の拡大処理の例を示す図である。図４（ｂ）に示す表示が行われている状態で拡大処理が行われると、図５（ｂ）の状態に遷移する。ＬＶ画像５２１は、図４（ｂ）の合焦領域４２２近傍の拡大表示である。拡大インジケータ５２２は、図４（ｂ）のＬＶ画像４２１における拡大位置（即ち、撮影範囲全体に対する拡大したＬＶ画像５２１の範囲）を示している。
【００５２】
Ｓ３２４で、システム制御部５０は、フォーカスリングの操作量に応じたフォーカス調整を行う。
【００５３】
Ｓ３２５で、システム制御部５０は、ゾーン枠の中央座標（所定の位置）を基準としてＬＶ画像の拡大を行う。図５（ｃ）は、ゾーンＡＦの場合の拡大処理の例を示す図である。図４（ｄ）に示す表示が行われている状態で拡大処理が行われると、図５（ｃ）の状態に遷移する。ＬＶ画像５３１は、図４（ｄ）のゾーン枠４３２の中央座標近傍の拡大表示である。拡大インジケータ５３２は、図４（ｄ）のＬＶ画像４３１における拡大位置（即ち、撮影範囲全体に対する拡大したＬＶ画像５３１の範囲）を示している。図４（ｄ）においては、合焦領域４３３，４３４，４３５，４３６は顔の周辺に存在し、顔の中心には合焦領域が存在しない。従って、仮にＳ３２３の場合（顔＋追尾優先ＡＦの場合）と同様に合焦領域に基づいて拡大位置が決定されると、ユーザがフォーカスを合わせたい顔の中心が表示されない可能性がある。これに対し、本実施形態では、ゾーンＡＦの場合はゾーン枠の中央座標に基づいて拡大位置が決定されるため、ユーザの意図に沿う被写体が拡大表示される可能性が上昇する。なお、拡大位置の決定の基準は、中央座標に限るものではなく、ゾーン枠の左上座標などを基準としてもよい。
【００５４】
Ｓ３２６で、システム制御部５０は、フォーカスリングの操作量に応じたフォーカス調整を行う。
【００５５】
Ｓ３２７で、システム制御部５０は、シャッターボタン６１に対するＳＷ２操作が行われたか否かを判定する。ＳＷ２操作が行われた場合、処理はＳ３１５へ進み、そうでない場合、処理はＳ３２８へ進む。
【００５６】
Ｓ３２８で、システム制御部５０は、ＳＷ１がオンの状態が維持されているか否かを判定する。維持されている場合、処理はＳ３２９へ進み、そうでない場合、処理はＳ３３１へ進む。
【００５７】
Ｓ３２９で、システム制御部５０は、フォーカスリングが操作されたか否かを判定する。フォーカスリングが操作された場合、処理はＳ３３０へ進み、そうでない場合、処理はＳ３２７へ進む。
【００５８】
Ｓ３３０で、システム制御部５０は、フォーカスリングの操作量に応じたフォーカス調整を行う。
【００５９】
Ｓ３３１で、システム制御部５０は、操作部７０に対して、終了操作（再生モードへの移行指示や電源オフ操作など）が行われたか否かを判定する。終了操作が行われた場合、本フローチャートの処理は終了する。終了操作が行われていない場合、処理はＳ３０２へ進む。
【００６０】
なお、本実施形態では、Ｓ３１２においてフォーカスリングが操作された場合（即ち、マニュアルフォーカス操作が行われた場合）に、ＬＶ画像の拡大処理が行われる構成について説明した。しかしながら、ＬＶ画像の拡大処理を引き起こす操作は、マニュアルフォーカス操作に限定されず、何らかの特定の操作が行われた場合に処理がＳ３１２からＳ３１９へ遷移するようにデジタルカメラ１００を構成してもよい。また、特定の操作が行われなくてもＬＶ画像の拡大処理を行うようにデジタルカメラ１００を構成してもよい。例えば、システム制御部５０は、Ｓ３１２の判定を行わず、Ｓ３０８、Ｓ３１０、又はＳ３１１において合焦領域を決定した後、処理をＳ３１９へ進めてもよい。
【００６１】
また、本実施形態では、ＡＦ位置選択モードがゾーンＡＦの場合には、ゾーン枠の中央座標を基準としてＬＶ画像の拡大を行う構成について説明したが、状況に応じて、他の位置を基準としてＬＶ画像を拡大してもよい。例えば、システム制御部５０は、ゾーンＡＦが設定されている場合に、ＬＶ画像において特定の被写体（顔、瞳、特定の物など）を検出する。ゾーン枠内で特定の被写体が検出された場合、システム制御部５０は、特定の被写体の領域を基準として合焦領域を決定する。この場合、システム制御部５０は、合焦領域を基準としてＬＶ画像を拡大してもよい。また、例えば、ゾーンＡＦにおいて複数の合焦領域が決定され、複数の合焦領域の各々が少なくとも１つの合焦領域と隣接している場合、システム制御部５０は、これら複数の合焦領域を基準としてＬＶ画像を拡大してもよい。例えば、システム制御部５０は、複数の合焦領域の中心や重心などの位置でＬＶ画像を拡大してもよい。反対に、複数の合焦領域の中に、他のいずれの合焦領域とも隣接していない合焦領域が存在する場合、システム制御部５０は、複数の合焦領域にかかわらず、ゾーン枠の所定の位置（中央など）を基準としてＬＶ画像を拡大してもよい。
【００６２】
また、例えば、ゾーンＡＦよりも広いゾーン枠を設定可能なＡＦ位置選択モード（以下、「ラージゾーンＡＦ」）が設定された場合には、システム制御部５０は、合焦領域を基準としてＬＶ画像を拡大してもよい。ラージゾーンＡＦの場合、ゾーン枠内に複数の被写体が含まれるようにゾーン枠が設定される可能性がある。そのため、顔＋追尾優先ＡＦと同様に合焦領域を基準としてＬＶ画像を拡大することにより、拡大位置がユーザの意図に沿う可能性を向上させることが可能となる。
【００６３】
また、例えば、ユーザがＬＶ画像の拡大に関する倍率設定を実行可能なようにデジタルカメラ１００を構成してもよい。拡大倍率が比較的小さい場合、合焦領域を基準としてＬＶ画像が拡大されても、ゾーン枠の中央近傍も含めて拡大表示される可能性がある。そこで、システム制御部５０は、ゾーンＡＦにおいて、設定された倍率が第１の倍率（例えば、１０倍）である場合、ゾーン枠の中央を基準としてＬＶ画像を拡大し、設定された倍率が第１の倍率よりも小さい第２の倍率（例えば、５倍）である場合、合焦領域を基準としてＬＶ画像を拡大する。
【００６４】
また、本実施形態では、拡大位置が動的に変化するため、拡大位置を示す情報を事前に（ＬＶ画像の拡大前に）ユーザに通知してもよい。例えば、システム制御部５０は、ゾーンＡＦにおいてゾーン枠内で検出された特定の被写体の領域を基準として合焦領域を決定した場合、図４（ｅ）に示すように、ＬＶ画像４５１に合焦枠４５２を重畳表示する。これにより、ユーザは、検出された被写体の領域に対応する合焦領域を基準にＬＶ画像が拡大されることを認識できる。或いは、システム制御部５０は、図４（ｆ）に示すように、ＬＶ画像４６１に拡大位置マーク４６２を重畳表示してもよい（図４（ｆ）では、見やすさのため、被写体の図示を省略している）。なお、システム制御部５０は、ゾーン枠の中央を基準としてＬＶ画像を拡大する場合には、拡大位置マーク４６２を非表示にしてもよい。
【００６５】
また、本実施形態では、撮影モード処理におけるＬＶ画像の拡大表示について説明したが、システム制御部５０は、撮像画像を再生する再生モードにおいて、撮像画像を拡大表示してもよい。システム制御部５０は、再生指示に応じて、再生モードに遷移し、撮像画像の表示後に拡大指示が行われたことに応じて、撮像画像を拡大するように制御する。再生モードにおいては、システム制御部５０は、撮像画像が顔＋追尾優先ＡＦ及びゾーンＡＦのいずれのＡＦ位置選択モードで撮像されたかにかかわらず、撮像画像の撮像時に決定された合焦領域を基準として撮像画像を拡大してもよい。これにより、ユーザは、再生時には最もフォーカスが合った箇所を拡大表示で確認することが可能である。再生時のこのような拡大は、通常の拡大操作ではなく、合焦に関する確認を行うフォーカスチェッカー画面で行うとより好適である。フォーカスチェッカー画面でない場合は、拡大操作に応じて、タッチパネルでのピンチ操作での拡大であればピンチ中心を基準とした拡大、そうでない拡大操作であれば表示範囲中心を基準とした拡大とするとよい。なお、システム制御部５０は、撮像画像を記録する際に、ＡＦ位置選択モード及び合焦領域を示す情報を撮像画像に関連付けて記録する。
【００６６】
以上説明したように、第１の実施形態によれば、デジタルカメラ１００は、複数のＡＦ位置選択モードのうちのいずれかを設定し、撮像領域のうちの、設定されたＡＦ位置選択モードに応じた領域内でＡＦ制御を行って合焦領域を決定する。複数のＡＦ位置選択モードには、撮像領域の第１の領域（例えば、ＡＦ可能領域全体）内で合焦領域を自動的に決定する第１のオートフォーカスモード（ＡＦモード）（例えば、顔＋追尾優先ＡＦ）が含まれる。また、複数のＡＦ位置選択モードには、第１の領域よりも狭い第２の領域内で合焦領域を自動的に決定する第２のＡＦモード（例えば、ゾーンＡＦ）も含まれる。デジタルカメラ１００は、合焦領域の決定後に特定の操作（例えば、マニュアルフォーカス操作）が行われたことに応じて、ＬＶ画像を拡大して表示する。デジタルカメラ１００は、第１のＡＦモードが設定されている場合、合焦領域を基準としてＬＶ画像を拡大し、第２のＡＦモードが設定されている場合、合焦領域にかかわらず、第２の領域（例えば、ゾーン枠）の所定の位置を基準としてＬＶ画像を拡大する。これにより、ＡＦ制御による合焦領域の決定後にＬＶ画像を拡大する際に、拡大位置がユーザの意図に沿う可能性を向上させることが可能となる。
【００６７】
なお、システム制御部５０が行うものとして説明した上述の各種制御は、１つのハードウェアが行ってもよいし、複数のハードウェアが処理を分担することで、装置全体の制御を行ってもよい。
【００６８】
また、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【００６９】
また、上述した実施形態においては、本発明を撮像制御装置に適用した場合を例にして説明したが、これはこの例に限定されず、ＬＶ画像を拡大表示する機能を持つ装置であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダー、タブレット端末、スマートフォン、投影装置、ディスプレイを備える家電装置や車載装置などに適用可能である。
【００７０】
また、撮像装置本体に限らず、有線又は無線通信を介して撮像装置（ネットワークカメラを含む）と通信し、撮像装置を遠隔で制御する撮像制御装置に対して本発明を適用可能である。撮像装置を遠隔で制御する装置としては、例えば、スマートフォンやタブレットＰＣ、デスクトップＰＣなどの装置がある。撮像制御装置側で行われた操作や撮像制御装置側で行われた処理に基づいて、撮像制御装置側から撮像装置に各種動作や設定を行わせるコマンドを通知することにより、撮像装置を遠隔から制御可能である。また、撮像装置で撮影したライブビュー画像を有線又は無線通信を介して受信して撮像制御装置側で表示できるようにしてもよい。
【００７１】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７２】
２２…撮像部、２４…画像処理部、２８…表示部、５０…システム制御部、５２…システムメモリ、５６…不揮発性メモリ、６１…シャッターボタン、７０…操作部、１００…デジタルカメラ、１０３…撮影レンズ
【図１】
2019012900.tif 000003
【図２】
2019012900.tif 000004
【図３Ａ】
2019012900.tif 000005
【図３Ｂ】
2019012900.tif 000006
【図４】
2019012900.tif 000007
【図５】
2019012900.tif 000008